(57)【特許請求の範囲】
【請求項１】
外面に開口し液体燃料を供給するための接続口を有する容器本体と、
該容器本体内部に形成され、前記容器本体の中心からオフセットされた位置に配置され、燃料電池に供給する液体燃料を収容する上下方向に空洞状に形成される燃料貯蔵室と、
前記容器本体内部に形成され、燃料を押し出すための応力を生じさせる圧縮ガスを封入する上下方向に空洞状に形成されるものであって、前記燃料貯蔵室に平行に備えられる気室と、
前記燃料貯蔵室及び前記気室が並んで配置され、その間に内部壁が形成されて、前記燃料貯蔵室の底部と前記気室の底部とを端部で連通するものであって、前記内部壁の下端部が底蓋に接合することなく切り欠かれた連通路と、
前記燃料貯蔵室に上昇及び下降移動自在に配設され、前記液体燃料と圧縮ガスとを区画するピストン状の隔壁部材と、
前記燃料貯蔵室と前記接続口の間を連通遮断するバルブとからなり、
前記燃料貯蔵室の底面に前記連通路から離れた位置に立設され、この底部にまで移動した前記隔壁部材の一部に接触して該隔壁部材を傾斜させる突起を備え、
傾斜させられた前記隔壁部材は、接触する前記突起と反対側の部分が下るように傾斜し、前記燃料貯蔵室の内壁とのシールが開放して、前記隔壁部材の上部と下部とが連通することを特徴とする燃料電池用燃料容器。
【請求項２】
前記燃料貯蔵室の下端部内壁面に、前記隔壁部材が傾斜した際に該隔壁部材の上部と下部とを連通する凹部をさらに形成したことを特徴とする請求項１に記載の燃料電池用燃料容器。
【請求項３】
外面に開口し液体燃料を供給するための接続口を有する容器本体と、
該容器本体内部に形成され、燃料電池に供給する液体燃料を収容する燃料貯蔵室と、
前記容器本体内部に形成され、端部において前記燃料貯蔵室と相互に連通し、燃料を押し出すための応力を生じさせる圧縮ガスを封入する気室と、
前記燃料貯蔵室に移動自在に配設され、前記液体燃料と圧縮ガスとを区画するピストン状の隔壁部材と、
前記燃料貯蔵室と前記接続口の間を連通遮断するバルブとからなり、
前記燃料貯蔵室を圧縮ガスで加圧して前記隔壁部材を該燃料貯蔵室の底部に移動させた際に、該隔壁部材と前記燃料貯蔵室の底面との間で押圧変形する弾性体を配置すると共に、前記燃料貯蔵室の下端部内壁面に該隔壁部材の上部と下部とを連通する凹部を形成したことを特徴とする燃料電池用燃料容器。
【請求項４】
前記隔壁部材と燃料貯蔵部のシールを２カ所以上で行うことを特徴とする請求項１，２または３に記載の燃料電池用燃料容器。
【請求項５】
前記隔壁部材が樹脂製本体部とＯリングで構成されたことを特徴とする請求項１〜４のいずれか１項に記載の燃料電池用燃料容器。
【発明の詳細な説明】
【技術分野】
【０００１】
本発明は、直接メタノール型燃料電池（ＤＭＦＣ）などの燃料電池に供給するメタノール水溶液などの液体燃料を収容し、この燃料を燃料電池に供給する燃料電池用燃料容器に関するもので、特に燃料貯蔵室に収容した液体燃料と、気室に封入した噴出用圧縮ガスとを区画するピストン状の隔壁部材の確実な圧縮ガス封入作動を得るための構造に関するものである。
【背景技術】
【０００２】
従来の液体を収容する容器としては、例えば、エアゾール容器、化粧品容器などがあるが、その容器本体には、ガラス、金属、プラスチックが使用されている。これら容器内は加圧されることで、ノズルを開作動した際に、内部の溶液が噴霧状に流出して使用に供される。
【０００３】
これら容器では薬剤となる原液と容器内部を加圧するための噴射材を混合して収容されるが、原液と噴射材が混合された状態で噴出されるため、原液のみを噴出させたい用途にはピストン等を備えた二重構造の容器が用いられる（例えば、特許文献１参照）。
【０００４】
ピストンを用いた二重構造容器では、ピストン駆動力を得るために圧縮ガスを封じる必要があり、製造工程において簡単に圧縮ガスを封入する技術として、ピストンヘッドの底面の一部に突起を設け、ピストンを最底面まで移動させるとピストンが傾くことにより、原液が収まる第１室と圧縮ガスが収まる第２室が連通するような構造が提案されている（例えば、特許文献２参照）。
【特許文献１】特公平５−２０１４８号公報
【特許文献２】特開平１１−１７９２５０号公報
【発明の開示】
【発明が解決しようとする課題】
【０００５】
ところで、例えば携帯用パソコン（ノートパソコン、ＰＤＡ等）その他の機器の小型電源として燃料電池の使用が検討されているが、この燃料電池に燃料を供給するための燃料容器（例えば燃料カートリッジ）が必要とされ、その燃料としては例えば直接メタノール型燃料電池（ＤＭＦＣ）にはメタノールと純水またはエタノールと純水の混合溶液が検討されている。
【０００６】
上記燃料容器の形状は、燃料電池本体もしくは燃料電池を搭載しているノートパソコン等の機器における燃料容器収容部の形状等に応じて設定される。この点から、外形が円筒状のものでは、形状自由度が低いと共に、設置スペースの関係で収容燃料の容積効率が低く、また、前記特許文献のように燃料を吐出するための圧縮ガスを収容する気室を燃料貯蔵室と二重構造に設けたものでは大きな円筒形状となり、機器のコンパクト化の障害となる問題がある。また、ノートパソコン等の小型機器はその大きさの制約から、燃料供給用ポンプ、調圧機構、燃料残量検知機構などの省略が望ましく、利用者側の利便性向上のため、燃料容器は安価、小型軽量が望ましい。
【０００７】
一方、上述の燃料容器より液体燃料を噴出供給するには、ピストン状の隔壁部材の確実な作動を得る必要がある。特に、吐出圧力が最大０．３ＭＰａ以下のように低く設定して、機器側には燃料供給用ポンプ、調圧機構を設置しないようにする場合には、この低い圧力で確実に隔壁部材の移動が確保できるように構成する必要がある。特に、隔壁部材の背部に圧縮ガス圧力を作用させるために、気室に圧縮ガスを初期注入する際に、隔壁部材の上下を連通する作動が確実に得られるように構成する必要がある。
【０００８】
初期の圧縮ガス注入においては、前記特許文献２の方式ではピストンを大きく傾ける必要があり、製造の簡便さから見た場合、その分設計が難しくなるのと、溶液を収容する体積が減少してしまう問題がある。また、予めどの方向に傾くのかが予測できず、圧縮ガス封入時における確実な隔壁部材の作動を確保する必要がある。
【０００９】
本発明はこのような点に鑑みなされたもので、ピストン状の隔壁部材の確実な圧縮ガス封入時の作動を確保し、自力で液体燃料のみを噴出できる燃料電池用燃料容器を提供することを目的とするものである。
【課題を解決するための手段】
【００１０】
本発明の燃料電池用燃料容器は、外面に開口し液体燃料を供給するための接続口を有する容器本体と、該容器本体内部に形成され、燃料電池に供給する液体燃料を収容する燃料貯蔵室と、前記容器本体内部に形成され、端部において前記燃料貯蔵室と相互に連通し、燃料を押し出すための応力を生じさせる圧縮ガスを封入する気室と、前記燃料貯蔵室に移動自在に配設され、前記液体燃料と圧縮ガスとを区画するピストン状の隔壁部材と、前記燃料貯蔵室と前記接続口の間を連通遮断するバルブとからなり、
前記燃料貯蔵室の底面に、この底部にまで移動した前記隔壁部材の一部に接触して該隔壁部材を傾斜させる突起を備えたことを特徴とするものである。
【００１１】
前記燃料貯蔵室の下端部内壁面に、前記隔壁部材が傾斜した際に該隔壁部材の上部と下部とを連通する凹部をさらに形成するのが好適である。
【００１２】
また、本発明の他の燃料電池用燃料容器は、外面に開口し液体燃料を供給するための接続口を有する容器本体と、該容器本体内部に形成され、燃料電池に供給する液体燃料を収容する燃料貯蔵室と、前記容器本体内部に形成され、端部において前記燃料貯蔵室と相互に連通し、燃料を押し出すための応力を生じさせる圧縮ガスを封入する気室と、前記燃料貯蔵室に移動自在に配設され、前記液体燃料と圧縮ガスとを区画するピストン状の隔壁部材と、前記燃料貯蔵室と前記接続口の間を連通遮断するバルブとからなり、
前記燃料貯蔵室を圧縮ガスで加圧して前記隔壁部材を該燃料貯蔵室の底部に移動させた際に、該隔壁部材と前記燃料貯蔵室の底面との間で押圧変形する弾性体を配置すると共に、前記燃料貯蔵室の下端部内壁面に該隔壁部材の上部と下部とを連通する凹部を形成したことを特徴とするものである。
【００１３】
前記隔壁部材と燃料貯蔵部のシールを２カ所以上で行うように構成するのが好ましい。また、前記隔壁部材を樹脂製本体部とＯリングで構成してもよい。
【発明の効果】
【００１４】
上記のような本発明の燃料電池用燃料容器によれば、接続口を有する容器本体と、液体燃料を収容する燃料貯蔵室と、燃料貯蔵室と連通し圧縮ガスを封入する気室と、燃料貯蔵室に移動自在に配設された隔壁部材と、連通遮断するバルブとからなり、燃料貯蔵室の底面に、この底部にまで移動した隔壁部材の一部に接触して該隔壁部材を傾斜させる突起を備えたことにより、隔壁部材の安定した傾斜動作が行え、気室に圧縮ガスを初期注入して隔壁部材の背部に圧縮ガス圧力を作用させる際の隔壁部材の上下を連通する作動が確実に得られ、自力で液体燃料を噴出供給することができる。
【００１５】
また、燃料貯蔵室の下端部内壁面に隔壁部材が傾斜した際にその上部と下部とを連通する凹部をさらに形成すると、より隔壁部材の傾斜が小さくできて良好な動作が確保できる。
【００１６】
さらに、本発明の他の燃料電池用燃料容器によれば、燃料貯蔵室を圧縮ガスで加圧して隔壁部材を燃料貯蔵室の底部に移動させた際に、隔壁部材と燃料貯蔵室の底面との間で押圧変形する弾性体を配置すると共に、燃料貯蔵室の下端部内壁面に隔壁部材の上部と下部とを連通する凹部を形成したことにより、隔壁部材を傾斜させることなく隔壁部材の上下を連通する作動が確実に得られる。
【００１７】
上記のように本発明の燃料電池用燃料容器によれば、ピストン状の隔壁部材の確実な作動を得ることができ、自力で燃料単体を噴出でき、簡便な機構により安価でかつ小型軽量化によって使用者側の利便性を向上することができる。
【発明を実施するための最良の形態】
【００１８】
以下、本発明の実施の形態を詳細に説明する。図１は一つの実施の形態における燃料電池用燃料容器の平面図(ａ)および中央断面正面図(ｂ)、図２は図１のII−II断面図、図３は他の実施形態の燃料電池用燃料容器の同断面図である。図４は一つの実施の形態における気室への圧縮ガス封入時における燃料貯蔵室の底部構造を示す要部断面図、図５は他の実施形態における同要部断面図、図６はさらに他の実施形態における同要部断面図である。
【００１９】
図１の実施形態の燃料電池用燃料容器１は、所定濃度のメタノールと純水またはエタノールと純水の混合液などによる燃料電池用の液体燃料Ｆを収容し、直接メタノール型燃料電池（ＤＭＦＣ）などに燃料を供給するためのものであり、不図示の燃料電池本体に装着される。
【００２０】
前記燃料容器１は、外形を構成する容器本体２の内部に、ピストン状の隔壁部材５が嵌挿されて液体燃料Ｆが封入された燃料貯蔵室３と、圧縮ガスＧが封入された気室４とを独立して平行に備える。容器本体２は樹脂成形のため本体部２１と、その底部を密閉する底蓋２２とで密閉構造に構成され、本体部２１に燃料貯蔵室３と気室４とが底部に開口して上下方向に空洞状に形成され、両室３，４の間に内部壁２３が形成されている。
【００２１】
容器本体２は、全体の外形としては、非円筒形状の扁平な断面小判形状であり、前後面が平坦で両側部は円弧面に湾曲形成され、その上端面には外面に開口し液体燃料Ｆを供給するための接続口２４を有し、燃料電池に対して接続される。
【００２２】
燃料貯蔵室３は図２に示すような断面円形の円筒形状、もしくは図３に示すような断面が小判形状の筒形状の燃料貯蔵室３’に構成される。また、気室４は外側に容器本体２の外壁厚さと燃料貯蔵室３との内壁厚さを持って両側部が湾曲し、前後面が平坦に形成されてなる。さらに、本体部２１に底蓋２２を接合して容器本体２を形成した際に、上記燃料貯蔵室３の底部と気室４の底部とが端部で連通するように、内部壁２３の下端部が底蓋２２に接合することなく切り欠かれた連通路２５が形成されている。
【００２３】
上記構造により、前記燃料貯蔵室３が、容器本体２の中心からオフセットされた位置に配置され、燃料貯蔵室３と気室４が容器本体２の正面から見て並んで配置されている。これにより、形状自由度が高く燃料容器の形状を燃料電池本体もしくは燃料電池を搭載しているノートパソコン等の機器における燃料容器収容部の形状等に応じて設定することが容易にでき、収容燃料の容積効率も高く、全体の寸法の高さが小さくでき、機器のコンパクト化の実現が図れる。
【００２４】
燃料貯蔵室３は、上部がバルブ６を介して上端面の接続口２４に連通し、バルブ６の連通遮断動作に応じて液体燃料Ｆの排出供給が行えるようになっている。このバルブ６の詳細は後述する。
【００２５】
また、燃料貯蔵室３に摺動可能に嵌挿されたピストン状の隔壁部材５は、弾性シール材５１と支持部材５２とで構成され、シール材５１の外周の特に上部周面と下部周面の２箇所のシール部が、シリンダ状の燃料貯蔵室３の内壁に気密に接触してその上部空間に液体燃料Ｆが封入される。シール材５１は支持部材５２に保持されることで、安定した姿勢で燃料貯蔵室３を移動するようになっている。
【００２６】
この隔壁部材５の形状は、前述の燃料貯蔵室３の断面形状に対応して形成され、図２のような円形の燃料貯蔵室３の場合には円形に、図３のような小判形状の燃料貯蔵室３’の場合には小判形状に形成されてなる。
【００２７】
上記隔壁部材５は、燃料貯蔵室３に収容した液体燃料Ｆと気室４に収容した圧縮ガスとを区画する移動隔壁として機能し、背面に作用する圧縮ガスの圧力によって前面の液体燃料Ｆを加圧し、前記バルブ６が連通作動した際に、この液体燃料Ｆを接続口２４より押し出すように作用する。
【００２８】
なお、残留する液体燃料Ｆの貯蔵容積に応じて隔壁部材５の位置が変化し、それに応じて圧縮ガスＧの体積が変化するとともに圧力が変化するが、液体燃料Ｆの貯蔵量が無くなるまで押し出すことができるように隔壁部材５を移動させる圧力を確保する。
【００２９】
一方、圧縮ガスの圧力は、最大０．３ＭＰａ以下となるよう設定するのが好適である。つまり、燃料電池に供給する液体燃料Ｆの圧力としては、この燃料電池または機器側に燃料供給用ポンプ、調圧機構を備えていない場合には、上限圧力は、例えば、０．３ＭＰａに規制する必要があり、燃料貯蔵量が最大の状態（圧縮ガスの体積が最小の状態）において、この上限圧力以下となるように、圧縮ガスの最大圧力および気室４の容積が設定される。特に、圧力変動を極力低減するために、気室４の容積は可及的に大きく設けることが好ましい。
【００３０】
前記バルブ６（図１）の機構例を説明する。このバルブ６は容器本体２の接続口２４の開口部分（燃料電池との接続部位）に、容器本体２への固定部材としての止着ネジ６１、燃料の供給を開閉する弁体としてのガスケット６２、開閉のための作動部材としてのバルブステム６３、閉方向への付勢部材としてのスプリング６４などで構成され、好ましくは非金属材料で形成されてなる。
【００３１】
そして、容器本体２の接続口２４に対し、底部にスプリング６４が挿入され、その上にバルブステム６３が挿入され、このバルブステム６３の外周にガスケット６２が嵌着され、バルブステム６３の上方より止着ネジ６１が容器本体２に螺合されて組み付けられる。上記バルブステム６３が外方よりスプリング６４に抗して押し込まれると、ガスケット６２が変形してバルブステム６３の外周の連通細口が開口し、このバルブステム６３の上端噴出口より内部の液体燃料Ｆを噴出供給するようになっている。
【００３２】
気室４に封入する圧縮ガスは、窒素、炭酸ガス、脱酸素空気などの酸素を含まないガスを用いることが、燃料電池での反応に悪影響を及ぼす酸素が液体燃料Ｆへ混入するのを、もしくは液体燃料Ｆが酸化するのを防止する点で好ましい。
【００３３】
なお、上記隔壁部材５のシール表面または燃料貯蔵室３の内壁面に、さらには両方に、液体燃料Ｆに対して非溶出性の低摩擦係数コーティングを施して、シリコンオイルによらずに隔壁部材５の移動抵抗を低減し、圧縮ガスＧの圧力が低くても確実で良好な作動を確保するのが好ましい。
【００３４】
上記低摩擦係数コーティングとしては、ＰＴＦＥ（ポリテトラフルオロエチレン）コーティング、または、ＤＬＣ（ダイヤモンドライクカーボン）コーティングなどが挙げられる。ＤＬＣコーティングは、例えば高周波プラズマＣＶＤによりメタンガスを原料にしてゴム等のシール材５１の表面に成膜される。表面にＤＬＣコーティングを行った場合、ＤＬＣコーティングが均一な処理が可能であることから厚み精度が高く、シール性を損なわずに摩擦係数を低減させることができる。表面にＰＴＦＥコーティング（商標名：テフロン（登録商標）コーティング）を行った場合、ＰＴＦＥコーティングは特に摩擦係数が低いため、隔壁部材５の移動抵抗が低減する。
【００３５】
次に、図４は、前記気室４への圧縮ガスＧの封入構造の第１の実施形態を示す要部断面図である。
【００３６】
この実施形態では、燃料貯蔵室３の底面つまり底蓋２２の内面に、隔壁部材５に当接可能な突起１１が形成されている。この突起１１は、内部壁２３すなわち連通路２５から離れた位置に立設され、この底部にまで移動した隔壁部材５の支持部材５２の中心からオフセットした一部に接触して、この隔壁部材５を傾斜させる。その傾斜方向は、図４(ａ)のように、燃料貯蔵室３の底部にまで下降移動した隔壁部材５に対し、連通路２５から離れた位置に突起１１の先端が当接し、さらに燃料貯蔵室３に注入された圧縮ガスの圧力によって隔壁部材５が下降すると、図４(ｂ)のように、隔壁部材５は、突起１１と反対側の内部壁２３側の部分が下がるように傾斜し、その外周の燃料貯蔵室３の内壁とのシールが開放して、隔壁部材５の上部と下部とが連通した状態となる。この動作によって気室４へ圧縮ガスを封入するものである。
【００３７】
つまり、燃料貯蔵室３に液体燃料Ｆを注入していない空の状態で、接続口２４よりバルブ６を通して圧縮ガスを燃料貯蔵室３に注入し、隔壁部材５を燃料貯蔵室３の最底部にまで移動させ、前記突起１１の当接によって隔壁部材５を傾けることにより、燃料貯蔵室３と気室４とを連通させて、図４(ｂ)のように圧縮ガスを気室４の内部に注入する。そして、気室４内が所定圧力となった際に、圧縮ガスの注入を停止した後、バルブ６を開作動して燃料貯蔵室３のガスを排出すると、隔壁部材５が平坦状態に復帰して燃料貯蔵室３のシール状態に戻り、その背部に気室４の圧縮ガスの圧力が作用した状態で隔壁部材５が上端にまで上昇移動して燃料貯蔵室３のガスを全て排出し、気室４に圧縮ガスＧが封入されることになる。その後、接続口２４よりバルブ６を開いて燃料貯蔵室３へ液体燃料を注入することによって燃料電池用燃料容器１が構成できるものである。
【００３８】
なお、図１の例においても、前記気室４への圧縮ガスＧの封入は、上記と同様に、隔壁部材５が燃料貯蔵室３の最底部にまで移動したときに隔壁部材５の支持部材５２の端部が底蓋２２の外周部の突起２６に係合して、該隔壁部材５が傾くことにより、そのシールを解放して燃料貯蔵室３と気室４とを連通させるようになっている。
【００３９】
次に、図５は気室４への圧縮ガスＧの封入構造の第２の実施形態を示す要部断面図である。この実施形態は、図４の構造に対して、燃料貯蔵室３の下端部内壁面に凹部１２が付加されたもので、隔壁部材５および突起１１は同様に構成され、同一符号を付している。
【００４０】
前記凹部１２は、燃料貯蔵室３の下端部内周面における前記突起１１と反対位置の連通路２５の近傍に、縦方向に延びて形成されている。
【００４１】
そして、隔壁部材５が、図５(ａ)の下端部位置から、図５(ｂ)のように、突起１１との当接によって傾斜した際に、凹部１２の近傍で隔壁部材５が下がることによって、凹部１２の上端部が隔壁部材５のシール位置より上方となる。この凹部１２の下端部は隔壁部材５より下部に開口し、該凹部１２によって隔壁部材５の上部と下部とが連通するため、図４の場合より、少ない傾斜で燃料貯蔵室３と気室４との連通を得ることができ、より確実にかつ容易に気室４に圧縮ガスを注入することができる。
【００４２】
次に、図６は気室４への圧縮ガスＧの封入構造の第３の実施形態を示す要部断面図である。この実施形態は、図５の構造に対して、燃料貯蔵室３の下端部内壁面に凹部１２を有するが、隔壁部材７の構造が異なり、非傾斜方式となっている。
【００４３】
隔壁部材７は、上壁部と周壁部とによるキャップ状の樹脂製本体部７１と２本のＯリング７２とで構成されている。Ｏリング７２は、本体部７１の外周の上下に設置された周溝に装着保持され、２カ所でシールしている。
【００４４】
さらに、燃料貯蔵室３の底面すなわち底蓋２２の内面には、下降移動した隔壁部材７に当接可能な弾性体１４が設置されている。この弾性体１４は、クッションまたはスプリングで構成され、上部が隔壁部材７の内部に挿入され上壁部の底面に当接して圧縮変形可能である。なお、この弾性体１４は隔壁部材７に固着してもよいが、移動重量が増加することになる。
【００４５】
燃料貯蔵室３の下端部内壁面の凹部１２は、隔壁部材７が、図６(ａ)の下端部位置から、燃料貯蔵室３に注入された圧縮ガスの圧力で加圧されることによって、図６(ｂ)のように、さらに燃料貯蔵室３の底部に移動した際に、隔壁部材７と底蓋２２の底面との間で弾性体１４が押圧変形される。この最下降状態において、凹部１２の上端部が隔壁部材７の上Ｏリング７２より上方となり、凹部１２の下端部は隔壁部材７より下部に開口し、該凹部１２によって隔壁部材７の上部と下部とが連通して、燃料貯蔵室３より気室４へ圧縮ガスを注入することができる。注入後は、隔壁部材７は弾性体１４の反発力によって図６(ａ)の位置に上昇することで、凹部１２の連通を閉塞し、後は前述と同様に、燃料貯蔵室３の圧縮ガスを抜いてから液体燃料Ｆを注入するものである。
【００４６】
上記のようなＯリング７２によるシール構造の隔壁部材７の場合には、このＯリング７２の表面または燃料貯蔵室３の内壁面に、前述のような低摩擦係数コーティングを形成すればよいもので、シリコンオイルによらずに隔壁部材７の移動抵抗を低減する。なお、図４または図５の実施形態においても、Ｏリング７２による隔壁部材７を適用してもよいが、突起１１が当接する箇所を確保する必要があるとともに、傾斜させるために十分なＯリング７２の変形量を設定しておく必要がある。
【００４７】
上記のような燃料容器１では、所定範囲の圧力を持って液体燃料Ｆを噴出させ、かつ燃料以外の不純物が混入しないよう容器本体２の内部で燃料貯蔵室３と気室４とを分離形成したため、落下等の衝撃に対する燃料漏れの防止機能がより高まる。また、ノートパソコン、ＰＤＡにおいては高いスペース効率の要求に対応でき、小型で収容量が多い燃料容器が構成できる。
【００４８】
なお、前記燃料電池用燃料容器１は、燃料電池に装着して該燃料電池に直接燃料を供給するものであるが、内圧を高めて、再注入可能な燃料電池用燃料容器に対して、液体燃料Ｆを注入するための注入用燃料容器としても使用可能である。
【図面の簡単な説明】
【００４９】
【図１】本発明の一つの実施の形態における燃料電池用燃料容器の平面図および中央断面正面図
【図２】図１のII-II断面図
【図３】他の実施形態の燃料電池用燃料容器の同断面図
【図４】一つの実施の形態における気室への圧縮ガス封入時における燃料貯蔵室の底部構造を示す要部断面図
【図５】他の実施形態における気室への圧縮ガス封入時における燃料貯蔵室の底部構造を示す同要部断面図
【図６】さらに他の実施形態における気室への圧縮ガス封入時における燃料貯蔵室の底部構造を示す同要部断面図
【符号の説明】
【００５０】
１    燃料電池用燃料容器
２    容器本体
３    燃料貯蔵室
４    気室
５，７    隔壁部材
６    バルブ
11    突起
12    凹部
14    弾性体
21    本体部
22    底蓋
23    内部壁
24    接続口
25    連通路
71    本体部
72    Ｏリング
Ｆ    液体燃料
Ｇ    圧縮ガス
【図１】
0004733351.tif 000002
【図２】
0004733351.tif 000003
【図３】
0004733351.tif 000004
【図４】
0004733351.tif 000005
【図５】
0004733351.tif 000006
【図６】
0004733351.tif 000007